(57)【特許請求の範囲】
【請求項１】
ランプ光を照射する投光部の方向を変更可能に構成したスポットライトにおいて、
電気コードを外部空間へ延出させるコード延出部が設けられた本体と、
該コード延出部から延出された電気コードを内部へ挿入するためのコード挿入部と、挿入された電気コードと接続されるランプソケットと、が設けられた灯体と、
該灯体を前記本体に取り付け、該灯体の該本体に対する取り付け姿勢を変更可能とするアームとを具備してなり、
前記灯体は、前記投光部とは反対側の背面部の外壁の一部が窪み状に凹設されてコード収納部が形成され、
前記コード挿入部は、前記背面部近傍の灯体の側壁に、前記背面部から前記投光部に向けて前記電気コードを前記灯体内にガイドしながら挿入するように形成され、
前記灯体の取り付け姿勢が変更されて、前記コード延出部に前記コード挿入部が近接された状態で、前記コード収納部に前記コード延出部と前記コード挿入部との間の電気コードが収納されることを特徴とするスポットライト。
【請求項２】
前記コード収納部は、中央部が凸状に隆起していることを特徴とする請求項１に記載のスポットライト。
【発明の詳細な説明】
【技術分野】
【０００１】
本発明は、スポットライトの技術に関し、より詳細には、ランプ光を照射する投光部の方向を変更可能としたスポットライトに関する。
【背景技術】
【０００２】
従来、ランプ光を照射する投光部の方向を変更可能に構成し、灯体と、該灯体を本体に対する取り付け姿勢を変更可能とするアームと、該アームを支持する本体とを具備し、本体と灯体との間の空間に、本体から灯体へ電力を供給するための電気コードが配設されたスポットライトが広く利用されている。
このようなスポットライトにおいては、灯体の取り付け姿勢を変更することによって、本体側のコード延出部と灯体側のコード挿入部との距離が変化する。一般的に、電気コードは、コード挿入部がコード延出部から最も離れて位置するときにちょうど必要な分より少し余裕を持たせた長さに構成されている。そのため、コード挿入部がコード延出部より離れて位置するときは、電気コードは本体と灯体との間の空間に余分なくすっきりと配されている。しかし、コード挿入部がコード延出部に接近して位置するときは電気コードの長さが余り、そのままでは電気コードの途中部が器具の側方に乱雑に飛び出して美観を損なったり、ランプの前に垂れて邪魔になったりする。
そこで、スポットライトに、電気コードをまとめて束ねたり或いは収納したりする構成を付与することが考えられる。たとえば、特許文献１には、上下位置を変更可能に設置される吊り下げ照明器具において、照明器具の上部に電気コードを束ねて収納する構成が開示されている。また、特許文献２には、電気器具の内部に余った電気コードを収納する収納空間を設ける構成が開示されている。
【特許文献１】実開昭５６−１７４４０６号公報
【特許文献２】特開平８−１９５２４３号公報
【発明の開示】
【発明が解決しようとする課題】
【０００３】
しかし、特許文献１に開示される構成は、上述した本体と灯体間に配される電気コードのように、灯体の取り付け姿勢を変更することによりコード延出部とコード挿入部との位置関係が複雑に変化するような条件に適した構成ではない。
また、特許文献２に開示される構成では、器具の構成が複雑化又は大型化し、その分、製作が難しくなり高価なものとなる。
そこで、本発明においては、簡単な構成で電気コードを収納する構成を具備するスポットライトを低コストで提供する。
【課題を解決するための手段】
【０００４】
本発明の解決しようとする課題は以上の如くであり、次にこの課題を解決するための手段を説明する。
【０００５】
即ち、請求項１においては、
ランプ光を照射する投光部の方向を変更可能に構成したスポットライトにおいて、
電気コードを外部空間へ延出させるコード延出部が設けられた本体と、
該コード延出部から延出された電気コードを内部へ挿入するためのコード挿入部と、挿入された電気コードと接続されるランプソケットと、が設けられた灯体と、
該灯体を前記本体に取り付け、該灯体の該本体に対する取り付け姿勢を変更可能とするアームとを具備してなり、
前記灯体は、前記投光部とは反対側の背面部の外壁の一部が窪み状に凹設されてコード収納部が形成され、
前記コード挿入部は、前記背面部近傍の灯体の側壁に、前記背面部から前記投光部に向けて前記電気コードを前記灯体内にガイドしながら挿入するように形成され、
前記灯体の取り付け姿勢が変更されて、前記コード延出部に前記コード挿入部が近接された状態で、前記コード収納部に前記コード延出部と前記コード挿入部との間の電気コードが収納されるものである。
【０００６】
請求項２においては、
前記コード収納部は、中央部が凸状に隆起しているものである。
【発明の効果】
【０００９】
本発明の効果として、以下に示すような効果を奏する。
【００１０】
請求項１においては、コード挿入部がコード延出部に接近したときに余る電気コードの途中部をコード収納部にまとめて収納するため、全体構成の美的外観を担保するとともに、コード収納部を設ける際に、灯体内部に収納構造を設けたり、灯体外部に新たな収納部品等を付設したりする必要がないため、製作が簡単であり、低コストである。
また、灯体背面部にコード収納部を設けているため、形成が簡単であり、しかも、灯体の側壁等に窪みを設けるよりも外観上自然であり、目立たない。
また、コード挿入部において背面部から投光部へ向けて電気コードが灯体内にガイドされながら挿入されるので、灯体背面部のコード収納部からコード挿入部へ向かう電気コードが灯体の側方に膨れてしまうことがなく、電気コードを目立たないよう灯体内部に挿入することができ、電気コードをよりすっきりと配することができる。また、電気コードを無理に折り曲げたりしなくてよいので、コード内部で断線が起こる等のトラブルを防ぐことができる。
【００１１】
請求項２においては、コード収納部の窪み縁部と中央の隆起部との間の谷間に電気コードを沿わせることにより、電気コードをスパイラル状に巻きやすくしている。これにより、容易に電気コードをコード収納部に収めることができる。また、電気コードを無理に折り曲げてコード内部で断線が起こる等のトラブルを防ぐことができる。
【発明を実施するための最良の形態】
【００１４】
次に、発明の実施の形態を説明する。
図１は本発明の一実施例に係るスポットライトの全体構成を表した斜視図、図２は灯体を垂直状態に支持した図１の正面斜視図である。図３は灯体を水平状態に支持したスポットライトの正面図、図４は同じく図３の背面図、図５は水平状態に支持された灯体及びアームの平面図である。図６は灯体を水平状態に支持したスポットライトの一部断面側面図、図７は灯体を垂直状態に支持したスポットライトの一部断面側面図である。
【００１５】
まず、スポットライト１の全体構成概略を説明する。
図１、図６に示すように、本実施例のスポットライト１は、天井等に敷設された配線ダクトに下向きに取り付けられるタイプのものである。スポットライト１は、灯体４、アーム３及び本体２より構成される。灯体４は、アーム３に上下方向に回転可能に支持されている。アーム３は、本体２に水平方向に回転可能に支持されている。換言すると、灯体４は、その投光部１２の方向を変更可能となるように、本体２に取り付け姿勢を変更可能に支持されている。本体２は、図示せぬ配線ダクトに取り付けられる。本体２と灯体４との間の空間には、本体２内部の点灯回路機器２０より灯体４内部のランプ１８へ電力を供給するための電気コード５が配設されている。
なお、本実施例においては、図１における矢印方向をスポットライト１の前後方向とし、本体２の略中央部に対してアーム３（灯体４）が支持された側を前方とする。
【００１６】
スポットライト１の構成をさらに詳述する。
図１、図３〜図５に示すように、灯体４は、略砲弾形状に構成され、一端が開口されて開口部（投光部１２）が形成され、他端が閉止されて閉止部（背面部１３）が形成されている。即ち、開口部から閉止部にかけて断面が同心円状となるように形成されており、開口部から閉止部に向かって徐々に外径が小さくなるように構成されている。なお、各同心円の中心点を通る線を灯体４の中心軸Ｓとする。灯体４は、中心軸Ｓが水平となったときに水平状態あり、中心軸Ｓが垂直となったときに垂直状態にある。
【００１７】
灯体４には、内部の最奥部にランプソケット１６が設けられており、該ランプソケット１６にランプ１８が装着されている。また、ランプソケット１６の前方には、略パラボラ形状の反射板１９と円筒状のグレアレスキャップ２１が設けられ、さらに開口端部には防護ガラスがはめられて投光部１２が形成されている。反射板１９の中心部に円孔が設けられており、該円孔からランプ１８が開口部側へ突き出ている。このランプ１８の突出端は、さらに反射板１９よりも投光部１２側に設けられたグレアレスキャップ２１にはめられている。ランプ１８からの光は、直接又は反射板１９に反射されて、投光部１２より照射される。
【００１８】
灯体４には、電気コード５を内部へ挿入するためのコード挿入部７が設けられている。コード挿入部７は、灯体４の背面部１３の近傍の側壁であって、灯体４を水平状態（中心軸Ｓが水平となる状態）にして投光部１２をスポットライト１の前方に向けた状態で、本体２に最も近い位置、換言すると、中心軸Ｓを通る鉛直面上に位置するように設けられている。このコード挿入部７は、灯体４の中心軸Ｓに沿う方向から側壁に穿設され、コード挿入部７より灯体４の内部へ電気コード５が挿入されて、挿入された電気コード５がランプソケット１６に接続されている。また、灯体４には、対向する外側面にアーム３との接続部であるアーム取付部１１ａ・１１ｂが設けられている。
【００１９】
アーム３は、一対のアーム部３ａ及びアーム部３ｂを有し、アーム部３ａ・３ｂは、一端部においてアーム３を本体２へ取り付けるための本体取付部１７に結合されている。アーム３は、アーム部３ａ・３ｂが対称に形成されて、略フォーク状となるように構成されている。各アーム部３ａ・３ｂは、本体取付部１７から延出されて、他端部に灯体４を取り付けて支持するための灯体支持部１０ａ・１０ｂを有しており、灯体支持部１０ａ・１０ｂを灯体４側のアーム取付部１１ａ・１１ｂに取り付けている。灯体４は、灯体支持部１０ａ・１０ｂ（アーム取付部１１ａ・１１ｂ）を回転中心として上下方向に回転可能に支持されている。
つまり、灯体４は、灯体支持部１０ａ・１０ｂ（アーム取付部１１ａ・１１ｂ）の中心を通る軸周りに、水平状態（投光部１２が水平方向を向いた状態）から垂直状態（投光部１２が鉛直下方を向いた状態）まで上下回転できるように支持されている。これにより、スポットライト１の鉛直面内における投光角度を変更することができる。なお、本実施例では、灯体４の投光部１２が、水平方向を向いた状態から、さらに上方に向く方向には回転できないように規制されている。
【００２０】
本体２は、略直方体の筐体に構成されており、ランプ１８の点灯回路機器２０を内蔵し、上部に該本体２を配線ダクトへ設置するためのダクト設置部１５を備えている（図６参照）。また、本体２は、前端の底面にアーム３を取り付けて支持するためのアーム支持部９が設けられている。アーム３は、アーム支持部９に穿設された支持孔に、前記アーム３の本体取付部１７の上面に形成された円筒部１７ａが挿通されることで、下方に落下しないように支持されつつ、本体２に対して円筒部１７ａを回転中心として水平方向に回転可能に支持されている。
つまり、アーム３は、本体取付部１７の中心を通る軸周りに３６０度水平回転させることができる。したがって、灯体４は、アーム３を介して本体２に水平方向に回転自在に支持されており、スポットライト１の投光方向は、灯体４より下方の全方向に向けることができる。
【００２１】
本体２には、電気コード５を外部へ延出するためのコード延出部６が設けられており、具体的には、コード延出部６は、本体取付部１７において、円筒部１７ａの上端から本体取付部１７の下端面まで上下に貫通されることで形成され、該コード延出部６を通じて電気コード５が本体２内部より外部へ延出されている。このように本実施例のスポットライト１は、コード延出部６がアーム３の回転軸上に位置されるため、アーム３の回転によって、アーム３、灯体４、及び電気コード５を一体として回転させることができ、アーム３を回転させる際には、コード延出部６とコード挿入部７との距離は変化せず、電気コード５が絡まることはない。
【００２２】
以上の構成において、灯体４が水平状態（投光部１２が水平方向を向いた状態）にあるときは、コード挿入部７はコード延出部６より最も離れて位置し、灯体４が垂直状態（投光部１２が鉛直下方を向いた状態）にあるときは、コード挿入部７はコード延出部６と最も近づいて位置する（図６、図７参照）。
【００２３】
電気コード５は、２本の給電用コード及び１本のアース用コードを束ねてさらに化学線維製の被覆材で被覆して一本のコードとしたものである。内部の各コードは、銅線等の芯線を束にしてそれをビニール等の被覆材で絶縁被覆したものである。電気コード５は、灯体４が水平状態にあるときに、ちょうど必要な分より少し余裕を持たせた長さに構成されている。灯体４を上下回転させると、電気コード５は変形してコード挿入部７のコード延出部６に対する相対位置の変化に追従する。
【００２４】
灯体４が水平状態のときは、電気コード５は本体２と灯体４との間の空間に余分なくすっきりと配されている（図６参照）。しかし、灯体４が垂直状態のときは、灯体４の背面部１３が上方に持ち上がって、コード挿入部７はコード延出部６の下方に近接した状態となるため、電気コード５の長さが余り、そのままでは、図７中の二点鎖線で示すように、電気コード５の途中部が灯体４の側方に乱雑に飛び出した状態となる（図７参照）。
【００２５】
図７に示すように、スポットライト１においては、灯体４の背面部１３が窪み状に凹設されてコード収納部８を形成している。コード収納部８は、背面部１３の全面を投光部１２側に凹となるように窪ませて形成されている。コード収納部８の窪みの深さは、電気コード５の断面径と略同じ程度に構成されている。
灯体４を垂直状態にすると、コード収納部８はコード延出部６とコード挿入部７とに挟まれて位置した状態となり、電気コード５の余分な途中部をコード収納部８内に収めることができる。しかも、コード収納部８はちょうどコード延出部６の直下にて該コード延出部６と近接対向するので、コード延出部６より延出した電気コード５を載せるだけでよい。即ち、電気コード５が落下しないように支えるための部材等を設けなくともよい。
【００２６】
また、本実施例のスポットライト１においては、コード収納部８内で電気コード５をスパイラル状に略一重巻きにして収めることにより、ちょうど電気コード５の余分な分をまとめて収めることができる。
ここで、電気コード５をスパイラル状に巻きやすくするために、コード収納部８の中央部は、凸状に隆起されて中央隆起部８ａが形成されている。これにより、コード収納部８の縁部８ｂと中央隆起部８ａとの間の谷間に沿って電気コード５をスパイラル状に巻きやすくしている。
即ち、電気コード５をコード収納部８に収めるには該電気コード５を曲げなければならないが、電気コード５を曲げるにはある程度の湾曲径が必要である。電気コード５を無理に折りたたんで詰めるよりも、電気コード５をスパイラル状に巻くと湾曲系を大きく取れて収納しやすい。無理な曲げ方はコード内部での断線や被覆材の断裂等を招く恐れもあるからである。
【００２７】
また、図２、図７に示したように、灯体４の砲弾型の形状、即ち投光部１２から背面部１３に向かって外径が小さくなる形状を生かして、コード挿入部７は、電気コード５の挿入方向が灯体４の中心軸Ｓに沿うように構成されている。即ち、コード挿入部７は、灯体４の背面部１３から投光部１２に向かって電気コード５が灯体４内にガイドされながら挿入されるように構成されている。
具体的には、コード挿入部７は、灯体４の外壁に開口された孔部７ｂと、該孔部７ｂへ電気コード５の挿入方向を中心軸Ｓ方向に向けて導くためのガイド溝としての溝部７ａとから成る。溝部７ａは、中心軸Ｓに沿って灯体４の側壁が平面視において縁部が略楕円状となるように凹設されて（図５参照）、灯体４の側壁と連続した電気コード５と略同じ径の湾曲面が形成されている。この湾曲面に電気コード５が当接してガイドされる。孔部７ｂは、溝部７ａの灯体４内部側の奥部に中心軸Ｓに沿う方向に開口されている（図４参照）。
【００２８】
以上の構成により、灯体４が垂直状態のときは、電気コード５はコード挿入部７の溝部７ａにガイドされながら鉛直下方向に挿入される状態となる。コード延出部６より延出した電気コード５は、コード延出部６の下方に位置されたコード収納部８に余分な分をスパイラル状に収められた後、コード収納部８を出て灯体４の側壁に沿ってさらに下方へ延出され、コード挿入部７の溝部７ａにガイドされながら孔部７ｂより灯体４内部へ挿入される。
本実施例のスポットライト１においては、コード挿入部７が上述のように構成されているので、例えば、電気コード５が側壁に対して略垂直に挿入される構成のように、コード収納部８からコード挿入部７へ向かう電気コード５が灯体４の側方に膨れてしまうことがなく、電気コード５を灯体４の側壁に沿ってすっきりと配することができる。
【００２９】
以上に本実施例のスポットライト１の構成を説明した。
本実施例においては、スポットライト１は、天井等の配線ダクトに設置されるものを示したが、たとえば、配線ダクトを用いず、本体２を直接天井に設置するものや、壁に設置するものや、天井から吊り下げられた支持部材に支持されるものでもよい。床等に上向きに設置するものでも、コード収納部８にコード落下止めの係止片等を設けるなどすることで、上述したのと同様の機能を持たせることができる。
【００３０】
また、スポットライト１は、灯体４が垂直状態のときに電気コード５を収納する構成を示したが、灯体４を完全に垂直となる状態まで姿勢変更しなくても、ある程度コード延出部６とコード挿入部７とが接近した状態で、コード収納部８に電気コード５を収めることができる。
【００３１】
また、コード延出部６は、アーム３の水平回転軸上に設けられているが、この構成に替えて、コード延出部６を本体２の他の部位、例えば、筐体の下面などに設けられてもよい。ただし、その場合、アーム３が水平回転されることによって、コード延出部６とコード挿入部７との距離が変化する。
【００３２】
また、電気コード５は、同軸コード、スパイラルコード等、様々な構成の電気コードを使用することができる。
【００３３】
また、アーム３としては、灯体４の側壁を二点支持するフォーク状のものを示したが、アーム３の構成はこれに限定されるものではない。たとえば、灯体４の側壁上部で一点支持するものでもよい。また、フレキシブルアーム、関節アーム等を使用してもよい。いずれにせよ、灯体４の本体２に対する取り付け姿勢を変更可能とするものであればよい。
【００３４】
また、灯体４は、砲弾型の形状に限定されるものではない。たとえば、円筒形状のものを用いた場合は、側壁にコード挿入部７を突設するとともに、電気コード５の挿入方向が中心軸Ｓに沿うようにコード挿入部７を構成すればよい。つまり、コード挿入部７を灯体４の外形構成及び内部構成に合わせて構成すればよい。
【００３５】
また、コード収納部８は、灯体４の背面部１３に設ける構成に限定されるものではない。コード挿入部７とコード延出部６との間の相対位置関係により、灯体４の側壁に設けるとよい場合もある。コード収納部８は、コード挿入部７がコード延出部６に最も接近したときに、コード挿入部７がコード延出部６より最も離れたときの両者間の距離よりも、コード延出部６から近い距離に位置する灯体４の外壁の一部に設ければ、コード収納の機能を奏する。
さらに、コード収納部８は、コード延出部６とコード挿入部７との間の最大距離及び最小距離の差が大きいために電気コード５の余る分がより長くなる構成であっても、電気コード５の余分長さに応じて窪み深さを深く形成すればよい。
【００３６】
また、コード挿入部７は、孔部７ｂを設ける替わりにランプソケット１６への接続端子を設ける構成としてもよい。
【００３７】
以上に本発明に係るスポットライトの実施例を示した。なお、本発明に係るスポットライトは、上述した構成のものに限らず、本発明を特徴付ける思想に基づいて自由に構成することができることは当業者によって容易に理解できよう。
【産業上の利用可能性】
【００３８】
本発明のスポットライトは、天井や床等に設置するスポットライトとして汎用的に利用することができる。
【図面の簡単な説明】
【００３９】
【図１】本発明の一実施例に係るスポットライトの全体構成を表した斜視図。
【図２】灯体を垂直状態に支持した図１の正面斜視図。
【図３】灯体を水平状態に支持したスポットライトの正面図。
【図４】同じく図３の背面図。
【図５】水平状態に支持された灯体及びアームの平面図。
【図６】灯体を水平状態に支持したスポットライトの一部断面側面図。
【図７】灯体を垂直状態に支持したスポットライトの一部断面側面図。
【符号の説明】
【００４０】
１    スポットライト
２    本体
３    アーム
４    灯体
５    電気コード
６    コード延出部
７    コード挿入部
８    コード収納部
９    アーム支持部
１０    灯体支持部
１１    アーム取付部
１６    ランプソケット
１７    本体取付部
１８    ランプ
２０    点灯回路機器
【図１】
0004456043.tif 000002
【図２】
0004456043.tif 000003
【図３】
0004456043.tif 000004
【図４】
0004456043.tif 000005
【図５】
0004456043.tif 000006
【図６】
0004456043.tif 000007
【図７】
0004456043.tif 000008